(57)【要約】【課題】利便性の向上と本体装置の省電力化との両立を図ることのできる電子機器を提供する。【解決手段】テレビ受信装置１０は、リモコン装置５０と、リモコン信号の受信に基づいて動作するテレビ受信機２０とを備えるものである。テレビ受信機２０は、リモコン信号受信部２５と、リモコン装置５０に報知動作を行わせるための報知信号を送信する電波送信部４０と、報知信号の送信態様を制御する本体側制御部３０とを備えている。また、リモコン装置５０は、リモコン側操作部６０と、リモコン側操作部６０が操作されることに基づいてリモコン信号を送信するリモコン信号送信部５２と、電波受信部７０と、電波受信部７０による報知信号の受信に基づいて報知動作を行う報知部５３とを備えている。本体側制御部３０は、電波送信部４０が報知信号を送信しているときにリモコン信号受信部２５がリモコン信号を受信したことに基づいて報知信号の送信を停止させる。【選択図】図１
2010021798.tif 000002
【特許請求の範囲】
【請求項１】
遠隔操作のための操作信号を送信する操作装置と、前記操作信号の受信に基づいて動作する本体装置とを備えるものであって、
前記本体装置は、前記操作信号を受信する本体受信部と、前記操作装置に所定の報知動作を行わせるための報知信号を送信する本体送信部と、前記報知信号の送信態様を制御する本体制御部とを備え、
前記操作装置は、前記本体装置の遠隔操作のために操作される操作入力部と、この操作入力部が操作されることに基づいて前記操作信号を送信する操作送信部と、前記報知信号を受信する操作受信部と、この操作受信部による前記報知信号の受信に基づいて所定の報知動作を行う操作報知部とを備え、
前記本体装置から送信された前記報知信号を前記操作装置が受信するときに前記操作装置が所定の報知動作を行う電子機器において、
前記本体制御部は、前記本体送信部が前記報知信号を送信しているときに前記本体受信部が前記操作信号を受信したことに基づいて前記報知信号の送信を停止させる
ことを特徴とする電子機器。
【請求項２】
請求項１に記載の電子機器において、
前記操作装置は、前記操作入力部の操作に基づいて前記本体装置の出力部を遠隔操作するための前記操作信号を送信するものであり、
前記本体制御部は、前記本体送信部が前記報知信号を送信しているときに前記本体受信部が前記本体装置の出力部を遠隔操作するための前記操作信号を受信したことに基づいて前記報知信号の送信を停止させる
ことを特徴とする電子機器。
【請求項３】
請求項２に記載の電子機器において、
前記本体制御部は、前記本体送信部が前記報知信号を送信しているときには、前記本体受信部が前記本体装置の出力部を遠隔操作するための前記操作信号を受信してもこの信号に基づく前記出力部の操作を禁止する
ことを特徴とする電子機器。
【請求項４】
請求項２に記載の電子機器において、
前記操作装置は、前記操作受信部が前記報知信号を受信しているときには、前記操作入力部の操作に基づいて前記報知信号の送信を停止させるための前記操作信号のみを送信する
ことを特徴とする電子機器。
【発明の詳細な説明】
【技術分野】
【０００１】
本発明は、遠隔操作のための操作信号を送信する操作装置と、操作信号の受信に基づいて動作する本体装置とを備える電子機器に関する。
【背景技術】
【０００２】
一般に、テレビ受信装置等の電子機器は、本体装置を遠隔操作するための操作装置を備えている。例えば、リモコン装置を備えたテレビ受信装置においては、操作装置であるリモコン装置に設けられたボタン等の操作内容に対応して、テレビ受信機を遠隔操作するための信号（以下、「リモコン信号」という。）をリモコン装置からテレビ受信機へ送信することにより、本体装置であるテレビ受信機を遠隔操作するように構成されている。
【０００３】
また、リモコン装置を備えた電子機器において、リモコン装置の置き忘れや紛失により、リモコン装置の所在が判らなくなった場合に備えて、リモコン装置を探索するためのロケータ機能を有する電子機器が知られている。具体的には、例えば、リモコン装置の所在が判らなくなった場合に操作される本体側の操作部と、リモコン装置の位置を報知させるための信号（以下、「報知信号」という。）を送信する報知信号送信部を備えた本体装置と、本体装置から送信された報知信号を受信する報知信号受信部と、リモコン装置の位置を報知する報知部を備えたリモコン装置により構成されている電子機器が知られている。リモコン装置の所在が判らなくなった場合は、本体装置の操作部が操作されて、本体装置の報知信号送信部から報知信号が送信され、リモコン装置が報知信号受信部で報知信号を受信すると、所定時間、報知部によりリモコン装置の位置をユーザーに報知する構成となっている（例えば、特許文献１参照）。
【特許文献１】特開２０００−９１９３０号公報
【発明の開示】
【発明が解決しようとする課題】
【０００４】
ところで、上記ロケータ機能を有するリモコン装置を備えた電子機器においては、本体装置から送信された報知信号に応じて、リモコン装置の位置が報知されるため、報知信号は、リモコン装置がユーザーに発見されるまで本体装置から送信されることが好ましい。従って、報知部によるリモコン装置の位置の報知を頼りに、ユーザーがリモコン装置を探索している際に、リモコン装置の位置が報知され続けるように、本体装置から報知信号を、リモコン装置を探索するために十分に長い所定時間に亘って送信するように構成することが好ましい。
【０００５】
しかしながら、上記のように本体装置から報知信号を所定時間に亘って送信するように構成した場合、ユーザーがリモコン装置を発見した場合であっても、所定時間経過するまでは、本体装置から報知信号が送信され続ける。即ち、本体装置の報知信号送信部が不要な電波を送信するため、本体装置の消費電力が大きいという問題があった。
【０００６】
そこで、この問題を解決するために、本体装置の操作部が操作されることにより報知信号の送信を停止させることも考えられる。しかし、この場合は、報知信号の送信を停止するために、ユーザーが本体装置を操作する必要があるため、利便性の低下が避けられないものとなる。
【０００７】
本発明は、こうした実情に鑑みてなされたものであり、その目的は、利便性の向上と本体装置の省電力化との両立を図ることのできる電子機器を提供することにある。
【課題を解決するための手段】
【０００８】
（１）請求項１に記載の発明は、遠隔操作のための操作信号を送信する操作装置と、前記操作信号の受信に基づいて動作する本体装置とを備えるものであって、前記本体装置は、前記操作信号を受信する本体受信部と、前記操作装置に所定の報知動作を行わせるための報知信号を送信する本体送信部と、前記報知信号の送信態様を制御する本体制御部とを備え、前記操作装置は、前記本体装置の遠隔操作のために操作される操作入力部と、この操作入力部が操作されることに基づいて前記操作信号を送信する操作送信部と、前記報知信号を受信する操作受信部と、この操作受信部による前記報知信号の受信に基づいて所定の報知動作を行う操作報知部とを備え、前記本体装置から送信された前記報知信号を前記操作装置が受信するときに前記操作装置が所定の報知動作を行う電子機器において、前記本体制御部は、前記本体送信部が前記報知信号を送信しているときに前記本体受信部が前記操作信号を受信したことに基づいて前記報知信号の送信を停止させることを要旨としている。
【０００９】
上記発明によれば、操作装置の所在が判らなくなった場合に、本体装置から報知信号が送信されると、操作装置の報知動作を頼りに、操作装置を発見することができ、操作装置の操作入力部を操作して操作信号を送信することにより、報知信号の送信を停止させることができる。このように、本体装置を操作することなく、報知信号の送信を停止することができるため、本体装置を操作して報知信号の送信を停止する場合に比し、利便性を向上することができる。また、ユーザーが操作装置を発見し次第、報知信号の送信を停止することができるため、本体装置から報知信号を所定時間に亘って送信する場合に比し、本体装置の省電力化を図ることができる。
【００１０】
（２）請求項２に記載の発明は、請求項１に記載の電子機器において、前記操作装置は、前記操作入力部の操作に基づいて前記本体装置の出力部を遠隔操作するための前記操作信号を送信するものであり、前記本体制御部は、前記本体送信部が前記報知信号を送信しているときに前記本体受信部が前記本体装置の出力部を遠隔操作するための前記操作信号を受信したことに基づいて前記報知信号の送信を停止させることを要旨としている。
【００１１】
上記発明によれば、操作入力部は、出力部の遠隔操作と、報知信号の送信を停止させるための遠隔操作とを兼用するものとなる。このため、報知信号の送信を停止させるための遠隔操作のみに使用される操作入力部（例えば、報知信号送信停止用ボタン）を設ける必要がない。
【００１２】
（３）請求項３に記載の発明は、請求項２に記載の電子機器において、前記本体制御部は、前記本体送信部が前記報知信号を送信しているときには、前記本体受信部が前記本体装置の出力部を遠隔操作するための前記操作信号を受信してもこの信号に基づく前記出力部の操作を禁止することを要旨としている。
【００１３】
上記発明によれば、本体装置の出力部を遠隔操作するための操作信号を受信してもこの信号に基づく出力部の操作を禁止するため、本体送信部による報知信号の送信を停止させる際に、ユーザーの意図しない本体装置の出力部の遠隔操作が行われることを回避することができる。
【００１４】
（４）請求項４に記載の発明は、請求項２に記載の電子機器において、前記操作装置は、前記操作受信部が前記報知信号を受信しているときには、前記操作入力部の操作に基づいて前記報知信号の送信を停止させるための前記操作信号のみを送信することを要旨としている。
【００１５】
上記発明によれば、操作入力部の操作に基づいて報知信号の送信を停止させるための操作信号のみを送信するため、本体送信部による報知信号の送信を停止させる際に、ユーザーの意図しない本体装置の出力部の遠隔操作が行われることを回避することができる。
【発明の効果】
【００１６】
本発明によれば、本体装置を操作して報知信号の送信を停止する場合に比し、利便性を向上することができ、本体装置から報知信号を所定時間に亘って送信する場合に比し、本体装置の省電力化を図ることができる。
【発明を実施するための最良の形態】
【００１７】
図１〜図４を参照して、本発明の電子機器をテレビ受信装置として具体化した一実施形態について説明する。なお図１は、本実施形態のテレビ受信装置の構成をブロック図として示したものである。
【００１８】
図１に示されるように、テレビ受信装置１０は、放送信号を受信して映像及び音声を出力するテレビ受信機２０と、テレビ受信機２０を遠隔操作するための操作信号であるリモコン信号を送信するリモコン装置５０とから構成されている。
【００１９】
テレビ受信機２０は、地上デジタルテレビ放送を視聴するためのデジタルテレビ受信機であって、チューナー２１と、信号処理部２２と、スピーカーやディスプレイからなる出力部２３と、本体側操作部２４と、リモコン信号受信部２５と、本体側制御部３０と、報知信号送信部である電波送信部４０とを備えている。以下、テレビ受信機２０の各部について、より具体的に説明する。
【００２０】
選局部であるチューナー２１は、本体側制御部３０によって出力された制御信号に基づいて、外部に設けられたアンテナ９０によって受信した複数のチャンネルの放送信号から、所望のチャンネルの放送信号のみを抽出する。また、チューナー２１は、所望のチャンネルの放送信号を復調しやすい周波数の信号に変換して、ＡＤ（アナログ−デジタル）変換を行う。即ち、アンテナ９０により受信した放送信号は、チューナー２１によってデジタル信号として信号処理部２２に出力される。
【００２１】
信号処理部２２は、チューナー２１によって出力されたデジタル信号に対して所定の信号処理等を施す集積回路からなる。例えば、信号処理部２２は、伝送路符号化されているデジタル信号からＭＰＥＧ−２  ＴＳ（Transport Stream）形式のデータを抽出する伝送路復号化処理や、スクランブルを解除するデスクランブル処理や、ＭＰＥＧ−２  Ｓｙｓｔｅｍｓに準拠して多重化されているデータから映像データや音声データを分離する多重分離処理を施す。また、信号処理部２２は、ＭＰＥＧ−２  Ｖｉｄｅｏ方式により圧縮符号化されている映像データの復号化処理や、ＭＰＥＧ−２  ＡＡＣ方式により圧縮符号化されている音声データの復号化処理や、本体側制御部３０によって出力されたＯＳＤ（On Screen Display）信号に基づいて、映像にＯＳＤ画像を合成するためのＯＳＤ処理を施す。上述の処理を施すことにより得られた映像データは、信号処理部２２によって映像信号として出力部２３へ出力されるとともに、上述の処理を施すことにより得られた音声データは、信号処理部２２によって音声信号として出力部２３へ出力される。
【００２２】
さらに、信号処理部２２は、本体側制御部３０によって出力された制御信号に基づいて、出力される映像の大きさ、即ち、表示される映像サイズを調整するための処理や、出力される音声の大きさ、即ち、再生される音量を調整するための処理を施す。出力される映像及び音声の大きさは、テレビ受信機２０に設けられたボタンやリモコン装置５０の操作により調整される。
【００２３】
出力部２３は、信号処理部２２によって出力された映像信号に基づいて映像を表示するディスプレイと、信号処理部２２によって出力された音声信号に基づいて音声を再生するスピーカーとからなる。出力部２３により映像及び音声が出力される、即ち、表示及び再生されることにより、ユーザーは放送コンテンツを視聴することができる。
【００２４】
本体側操作部２４は、リモコン装置５０の位置を報知させるためのリモコン装置探索用ボタン、即ち、リモコン装置５０の所在が判らなくなった場合に、ユーザーが操作するためのボタンである。本体側操作部２４が操作された場合、即ち、リモコン装置探索用ボタンが押下された場合、報知信号を送信するための信号、及びリモコン装置５０から送信されたリモコン信号を無効化するための信号が、本体側操作部２４から本体側制御部３０へ伝達される。
【００２５】
リモコン信号受信部２５は、例えば、受光素子である赤外線受光用のフォトダイオード、増幅回路、復調回路、及び波形整形回路から構成される受光モジュールである。そして、リモコン装置５０から送信された赤外線パルスをフォトダイオードが受光することにより、リモコン信号受信部２５はリモコン信号を受信する。受信したリモコン信号は、増幅回路、復調回路、及び波形整形回路を介して、リモコン信号受信部２５から本体側制御部３０へ伝達される。
【００２６】
本体側制御部３０は、リモコン信号受信部２５によって受信したリモコン信号を検出するリモコン信号検出部３１と、出力部２３による映像及び音声の出力を制御する出力制御部３２と、電波送信部４０を制御する無線送信制御部３３とを備えている。
【００２７】
出力制御部３２は、リモコン信号検出部３１によって検出されたリモコン信号に基づいて、出力部２３の出力を制御するための制御信号を、チューナー２１や信号処理部２２へ出力する。即ち、本体側制御部３０は、リモコン信号受信部２５によりリモコン信号を受信した場合に、出力制御部３２から制御信号を出力することにより、出力部２３の出力を制御する。例えば、本体側制御部３０は、音量を調整するためのリモコン信号を受信した場合、音声の大きさを変更するための制御信号を信号処理部２２へ出力することにより、出力部２３において出力される音声を制御する。また、本体側制御部３０は、チャンネルを変更するためのリモコン信号を受信した場合、複数のチャンネルの放送信号から抽出される放送信号を変更するための制御信号をチューナー２１へ出力することにより、出力部２３において出力される映像及び音声を制御する。
【００２８】
さらに、出力制御部３２は、報知信号を送信するための信号が本体側操作部２４から伝達された場合、報知信号の電波を送信中であることを示すＯＳＤ画像を出力部２３のディスプレイに表示するためのＯＳＤ信号を信号処理部２２に出力する。即ち、本体側制御部３０は、報知信号を送信中であることを示すＯＳＤ画像を出力部２３に出力、即ち、表示させる。
【００２９】
無線送信制御部３３は、報知信号を送信するための信号が本体側操作部２４から伝達された場合、報知信号を送信するための制御信号を電波送信部４０へ出力する。即ち、本体側制御部３０は、本体側操作部２４が操作された場合に、報知信号を送信するように電波送信部４０を制御する。
【００３０】
なお、本体側制御部３０は、テレビ受信機２０内に別途設けられたメモリに記憶されたプログラムに基づいて演算処理を行うマイコンやＣＰＵにより構成することができる。即ち、リモコン信号検出部３１及び出力制御部３２及び無線送信制御部３３を、１つのマイコンまたはＣＰＵにより構成することができ、このように本体側制御部３０を構成した場合は、本体側制御部３０を構成する各部３１〜３３が、それぞれ別個の集積回路からなる場合に比し、テレビ受信機２０の構成を簡略化することができる。
【００３１】
電波送信部４０は、電波送信用のアンテナ４１と、アンテナ４１に接続された無線送信モジュール４２とから構成されている。そして、無線送信制御部３３によって出力された報知信号を送信するための制御信号に応じて、無線送信モジュール４２により報知信号を生成する。この報知信号は変調されてアンテナ４１により電波で送信される。このようにして、電波送信部４０は、リモコン装置５０の位置を報知させるための報知信号を、テレビ受信機２０からリモコン装置５０へ電波として送信する。
【００３２】
リモコン装置５０は、テレビ受信機２０を遠隔操作するためのリモコン信号を送信する無線遠隔操作機器としての機能を備えている。また、電源として電池をはじめとして、リモコン側操作部６０と、リモコン側制御部５１と、リモコン信号送信部５２と、報知信号受信部である電波受信部７０と、報知部５３とを備えている。以下、リモコン装置５０の具体的な構成について説明する。
【００３３】
図２に示されるように、リモコン側操作部６０は、テレビ受信機２０の遠隔操作のために操作されるボタンから構成されている。具体的には、リモコン側操作部６０は、テレビ受信機２０の電源のオンとオフを切り替えるための電源ボタン６１と、チャンネルを変更するための数字ボタン６２及びチャンネルボタン６３と、音量を調整するための音量ボタン６４から構成されている。各ボタン６１〜６４のいずれかが押下された場合、即ち、リモコン側操作部６０が操作された場合、押下されたボタンに応じた信号が、リモコン側操作部６０からリモコン側制御部５１へ伝達される。
【００３４】
リモコン側制御部５１は、例えば、ＣＰＵコアやメモリを内蔵したマイコンであって、押下されたボタンに応じた信号がリモコン側操作部６０から伝達された場合に、リモコン側操作部６０の操作に応じたリモコン信号を生成する。即ち、数字ボタン６２又はチャンネルボタン６３が押下された場合は、チャンネルを変更するためのリモコン信号を生成し、音量ボタン６４が押下された場合は、音量を調整するためのリモコン信号を生成する。リモコン側制御部５１によって生成されたリモコン信号は、リモコン信号送信部５２へ出力される。このように、リモコン側制御部５１は、各種のリモコン信号を生成してリモコン信号送信部５２へ出力することにより、リモコン信号送信部５２によるリモコン信号の送信を制御し、リモコン信号送信部５２は、リモコン側操作部６０が操作されることに基づいてリモコン信号を送信する。
【００３５】
さらに、リモコン側制御部５１は、報知信号が電波受信部７０から伝達された場合（即ち、電波受信部７０により報知信号を受信した場合）に、報知部５３を動作させるための制御信号を報知部５３へ出力する。
【００３６】
リモコン信号送信部５２は、例えば、発光素子である赤外線発光用のＬＥＤ（Light Emitting Diode）等から構成される発光モジュールであって、ＬＥＤが発光することにより、リモコン信号送信部５２は、リモコン側制御部５１によって生成されたリモコン信号を赤外線パルスで送信する。
【００３７】
電波受信部７０は、電波受信用のアンテナ７１と、アンテナ７１に接続された無線受信モジュール７２とから構成されている。アンテナ７１は、テレビ受信機２０からリモコン装置５０へ送信された電波を受信する。そして、この電波が、無線受信モジュール７２によって復調されることにより、電波受信部７０は、電波送信部４０により送信された報知信号を受信する。受信した報知信号は、電波受信部７０からリモコン側制御部５１へ伝達される。
【００３８】
報知部５３は、例えば、小型スピーカーであって、リモコン装置５０の位置を報知するための制御信号がリモコン側制御部５１から伝達された場合に、小型スピーカーによって音を発生させることにより、リモコン装置５０の位置をユーザーに報知する。従って、電波受信部７０により報知信号を受信した場合、リモコン装置５０の位置が報知部５３により報知される。即ち、テレビ受信機２０から送信された報知信号をリモコン装置５０が受信するときにリモコン装置５０が所定の報知動作を行う。
【００３９】
以上のように構成されたテレビ受信装置１０は、リモコン装置５０と、リモコン信号の受信に基づいて動作するテレビ受信機２０とを備えるものであって、テレビ受信機２０は、リモコン信号受信部２５を備え、リモコン装置５０は、リモコン側操作部６０と、リモコン信号送信部５２とを備えている。このため、リモコン装置５０は、リモコン側操作部６０の操作に基づいてテレビ受信機２０の出力部２３を遠隔操作するためのリモコン信号を送信するものであり、リモコン装置５０を用いてテレビ受信機２０を遠隔操作することができる。
【００４０】
また、テレビ受信機２０は、リモコン装置５０に所定の報知動作を行わせるための報知信号を送信する電波送信部４０と、報知信号の送信態様を制御する本体側制御部３０とを備え、リモコン装置５０は、リモコン装置５０は、電波受信部７０と、電波受信部７０による報知信号の受信に基づいて所定の報知動作を行う報知部５３とを備えている。このため、テレビ受信装置１０はロケータ機能を有しており、リモコン装置５０の所在が判らなくなった場合に、テレビ受信機２０から報知信号を送信させることにより、ユーザーは、報知部５３によるリモコン装置５０の位置の報知を頼りに、リモコン装置５０を発見することができる。
【００４１】
図３を参照しながら、ユーザーがリモコン装置５０の所在を探索する際に使用されるロケータ機能に係るテレビ受信装置１０の動作について説明する。
まず、リモコン装置５０の所在が判らなくなった場合に、ユーザーによりテレビ受信機２０に設けられた本体側操作部２４（即ち、リモコン装置探索用ボタン）が操作されて、報知信号を送信するための信号が本体側制御部３０へ伝達される（ステップＳ１１）。
【００４２】
次いで、電子機器本体であるテレビ受信機２０が、電波送信部４０により報知信号を送信する（ステップＳ１２）。即ち、本体側制御部３０の無線送信制御部３３が、報知信号を送信するための制御信号を電波送信部４０へ出力することにより、電波送信部４０が報知信号を電波で送信する。
【００４３】
次いで、リモコン装置５０が、電波受信部７０により報知信号を受信し（ステップＳ１３）、そして、リモコン装置５０に設けられた報知部５３が、リモコン装置５０の位置をユーザーに報知する（ステップＳ１４）。
【００４４】
ここで、本実施形態においては、本体側制御部３０が、電波送信部４０が報知信号を送信しているときに、リモコン信号受信部２５がリモコン信号を受信したことに基づいて、報知信号の送信を停止させることに特徴がある。
【００４５】
図４を参照して、報知信号の送信を停止させる動作の詳細について説明する。
まず、報知部５３の報知を頼りにリモコン装置５０を発見したユーザーにより、リモコン装置５０に設けられたリモコン側操作部６０（即ち、各ボタン６１〜６４のいずれか）が操作されて、押下されたボタンに応じた信号が、リモコン側制御部５１へ伝達される（ステップＳ２１）。
【００４６】
次いで、リモコン装置５０が、リモコン信号送信部５２によりリモコン信号を送信する（ステップＳ２２）。即ち、リモコン側制御部５１がリモコン信号を生成してリモコン信号送信部５２に出力することにより、リモコン信号送信部５２がリモコン信号を赤外線パルスで送信する。
【００４７】
次いで、電子機器本体であるテレビ受信機２０が、リモコン信号受信部２５によりリモコン信号を受信する（ステップＳ２３）。そして、本体側制御部３０が、電波送信部４０による報知信号の送信中に、リモコン信号受信部２５によってリモコン信号が受信された場合に、電波送信部４０による報知信号の送信を停止させる（ステップＳ２４）。
【００４８】
より具体的には、ステップＳ２４においては、電波送信部４０による報知信号の送信中に、リモコン信号受信部２５から本体側制御部３０へリモコン信号が伝達されると、本体側制御部３０の無線送信制御部３３が、報知信号の送信を停止するための制御信号を電波送信部４０へ出力する。電波送信部４０は、無線送信制御部３３によって出力された報知信号の送信を停止するための制御信号に応じて、無線送信モジュール４２による報知信号の生成を停止して、電波を用いた報知信号の送信を停止する。
【００４９】
以上のようにして、電子機器本体がテレビ受信機２０であるテレビ受信装置１０のユーザーは、報知部５３の報知を頼りに、所在の判らなくなったリモコン装置５０を発見し、リモコン装置５０のリモコン側操作部６０を操作してリモコン信号を送信することにより、報知信号の送信を停止することができる。
【００５０】
さらに、本実施形態においては、本体側制御部３０は、電波送信部４０が報知信号を送信しているときに、リモコン信号受信部２５がテレビ受信機２０の出力部２３を遠隔操作するためのリモコン信号を受信したことに基づいて報知信号の送信を停止させる。即ち、ステップＳ２１において、テレビ受信機２０の電源オン／オフを切替えるための電源ボタン６１、チャンネルを変更するための数字ボタン６２及びチャンネルボタン６３、及び音量を調整するための音量ボタン６４のいずれかが操作されると、ステップＳ２４において、報知信号の送信が停止される構成となっている。このため、リモコン側操作部６０を、出力部２３による映像及び音声の少なくとも一方の出力を制御するための遠隔操作と、電波送信部４０による報知信号の送信を停止させるための遠隔操作に兼用することができる。
【００５１】
また、本実施形態においては、本体側制御部３０は、テレビ受信機２０が報知信号を送信しているときには、リモコン信号受信部２５がテレビ受信機２０の出力部２３を遠隔操作するためのリモコン信号を受信しても、このリモコン信号に基づく出力部２３の操作を禁止する構成となっている。
【００５２】
より具体的には、ステップＳ２３においてリモコン信号を受信した場合は、本体側制御部３０において、リモコン信号検出部３１によって検出されたリモコン信号が映像及び音声の少なくとも一方の出力を制御するためのリモコン信号であっても、出力制御部３２が、映像及び音声の少なくとも一方の出力を制御するための制御信号を送信しない。例えば、報知信号の送信中に、音量を調整するためのリモコン信号や、チャンネルを変更するためのリモコン信号を受信した場合、本体側制御部３０の出力制御部３２は、音声の大きさを変更するための制御信号や、複数のチャンネルの放送信号から抽出される放送信号を変更するための制御信号を出力しない。即ち、報知信号を送信しているときには、本体側制御部３０は受信したリモコン信号を無効化する。
【００５３】
上記実施形態のテレビ受信装置１０によれば、以下のような効果を得ることができる。
（１）本体側制御部３０は、電波送信部４０が報知信号を送信しているときにリモコン信号受信部２５がリモコン信号を受信したことに基づいて報知信号の送信を停止させる。このため、リモコン装置５０の所在が判らなくなった場合に、テレビ受信機２０から報知信号が送信されると、リモコン装置５０の報知動作を頼りに、リモコン装置５０を発見することができ、リモコン装置５０のリモコン側操作部６０を操作してリモコン信号を送信することにより、報知信号の送信を停止させることができる。このように、テレビ受信機２０を操作することなく、報知信号の送信を停止することができるため、テレビ受信機２０を操作して報知信号の送信を停止する場合に比し、利便性を向上することができる。
【００５４】
（２）また、上述のようにして、ユーザーがリモコン装置５０を発見し次第、報知信号の送信を停止することができるため、テレビ受信機２０から報知信号を所定時間に亘って送信する場合に比し、テレビ受信機２０の省電力化を図ることができる。
【００５５】
（３）本体側制御部３０は、電波送信部４０が報知信号を送信しているときにリモコン信号受信部２５がテレビ受信機２０の出力部２３を遠隔操作するためのリモコン信号を受信したことに基づいて報知信号の送信を停止させる。従って、リモコン側操作部６０は、出力部２３の遠隔操作と、報知信号の送信を停止させるための遠隔操作とを兼用するものとなる。このため、報知信号の送信を停止させるための遠隔操作のみに使用されるもの（例えば、報知信号送信停止用ボタン）を設ける必要がない。
【００５６】
（４）本体側制御部３０は、電波送信部４０が報知信号を送信しているときには、リモコン信号受信部２５がテレビ受信機２０の出力部２３を遠隔操作するためのリモコン信号を受信してもこの信号に基づく出力部２３の操作を禁止する。このため、リモコン側操作部６０が、映像及び音声の少なくとも一方の出力を制御するための遠隔操作と、報知信号の送信を停止させるための遠隔操作に兼用される場合であっても、電波送信部４０による報知信号の送信を停止させる際に、ユーザーの意図しないテレビ受信機２０の出力部２３の遠隔操作が行われることを回避することができる。
【００５７】
（その他の実施形態）
なお、本発明の実施態様は上記実施形態にて例示したものに限られず、これを例えば以下に示すように変更して実施することもできる。
【００５８】
・上記実施形態においては、電波送信部４０による報知信号の送信を停止させる際に、ユーザーの意図しないテレビ受信機２０の出力部２３の遠隔操作が行われることを回避するために、電波送信部４０が報知信号を送信しているときには、リモコン信号に基づく出力部２３の操作を禁止していたが、次のように変更することもできる。
【００５９】
即ち、リモコン装置５０は、電波送信部４０が報知信号を送信しているとき、即ち電波受信部７０が報知信号を受信しているときには、リモコン側操作部６０の操作に基づいて報知信号の送信を停止させるためのリモコン信号のみを送信するように構成してもよい。
【００６０】
このように構成すれば、ステップＳ２３でリモコン信号受信部２５が受信されて、リモコン信号検出部３１によって検出されるリモコン信号は出力部２３を遠隔操作するためのリモコン信号ではない。リモコン側操作部６０が、映像及び音声の少なくとも一方の出力を制御するための遠隔操作と、報知信号の送信を停止させるための遠隔操作に兼用される場合であっても、電波送信部４０による報知信号の送信を停止させる際に、ユーザーの意図しないテレビ受信機２０の出力部２３の遠隔操作が行われることを回避することができる。
【００６１】
・上記実施形態において、リモコン装置５０が行う所定の報知動作は、音を発生させる報知動作であったが、報知部５３が、音以外によりリモコン装置５０の位置をユーザーに報知するように構成してもよく、例えば、振動や光を発生することによりリモコン装置５０の位置を報知するように構成してもよい。この場合、音及び振動及び光のうちの少なくとも１つを発生することにより、リモコン装置５０の位置を報知する構成とすればよく、また、音及び振動及び光の発生を、適宜、組み合わせて報知することもできる。
【００６２】
・上記実施形態においては、テレビ受信機２０が受信するテレビ放送は、地上デジタル放送であったが、地上デジタルテレビ放送以外の放送であってもよく、例えば、ＢＳ放送等の衛星放送であってもよい。また、テレビ受信機２０が、地上アナログテレビ放送を受信するものであってもよい。この場合、信号処理部２２は、ＭＰＥＧ−２  ＴＳ形式のデータを抽出する伝送路復号化処理や、ＭＰＥＧ−２  Ｓｙｓｔｅｍｓに準拠して多重化されているデータの多重分離処理や、ＭＰＥＧ−２  Ｖｉｄｅｏ方式またはＭＰＥＧ−２  ＡＡＣ方式により圧縮符号化されているデータの復号化処理を行う必要はない。
【００６３】
・上記実施形態では、本発明をテレビ受信装置１０に適用した場合について説明したが、その他の電子機器、例えばオーディオ・ビジュアル機器またはエアコンまたはカーナビゲーション装置についても上記実施形態に準じた態様をもって本発明を適用することはできる。要するに、遠隔操作のための操作信号を送信する操作装置と、操作信号の受信に基づいて動作をする本体装置とについて、これらが各別に形成された電子機器であればいずれについても本発明を適用することは可能であり、その場合にも上記実施形態に準じた作用効果を奏することはできる。
【図面の簡単な説明】
【００６４】
【図１】本発明の電子機器を具体化した一実施形態について、同電子機器としてのテレビ受信装置の構成を示すブロック図。
【図２】同実施形態のリモコン装置について、その外観を示す平面図。
【図３】同実施形態のテレビ受信装置によるリモコン装置の探索時の動作を示すフローチャート。
【図４】同実施形態のテレビ受信装置による報知信号の送信停止時の動作を示すフローチャート。
【符号の説明】
【００６５】
１０…テレビ受信装置（電子機器）、２０…テレビ受信機（本体装置）、２１…チューナー、２２…信号処理部、２３…出力部、２４…本体側操作部（本体入力部）、２５…リモコン信号受信部（本体受信部）、３０…本体側制御部（本体制御部）、３１…リモコン信号検出部、３２…出力制御部、３３…無線送信制御部、４０…電波送信部（本体送信部）、４１…アンテナ、４２…無線送信モジュール、５０…リモコン装置（操作装置）、５１…リモコン側制御部、５２…リモコン信号送信部（操作送信部）、５３…報知部（操作報知部）、６０…リモコン側操作部（操作入力部）、６１…電源ボタン、６２…数字ボタン、６３…チャンネルボタン、６４…音量ボタン、７０…電波受信部（操作受信部）、７１…アンテナ、７２…無線受信モジュール、９０…アンテナ。
【図１】
2010021798.tif 000003
【図２】
2010021798.tif 000004
【図３】
2010021798.tif 000005
【図４】
2010021798.tif 000006